(57)【要約】【課題】  前面の扉を開放して枠体の前方全面から放水洗浄して、簡単に洗浄可能であり、かつ、枠体内に洗浄水が残存しないようにして、枠体内を乾燥状態にして部品に錆等を生じさせないようにし、また、簡単に塵や汚れを排出できるようにした洗浄容易な空気調和機を提供する。【解決手段】  上方から下方に給気ファン、熱交換コイル、フィルター、吸気グリルの順に配置し前面が開放しうる空気調和機において、熱交換コイルの真下に間隔をおいて主ドレンパンを設けるとともに、熱交換コイルの側部の周りに補助ドレンパンを設け、また、吸気グリルの空気調和機側の枠体の底面に排水斜面を設け、排水斜面は奥壁から前縁にかけて一律に傾斜して前縁を最も低くした連続斜面にし開放された前面から洗浄水を放水して空気調和機の内部を洗浄し吸気グリルの全幅から洗浄水を排水できるようにした洗浄容易な空気調和機。【選択図】図１
2005172360.tif 000002
【特許請求の範囲】
【請求項１】
上方から下方に給気ファン、熱交換コイル、フィルター、吸気グリルの順に配置し前面が開放しうる空気調和機において、前記熱交換コイルの真下に間隔をおいて主ドレンパンを設けるとともに、該熱交換コイルの側部の周りに補助ドレンパンを設け、開放された前面から洗浄水を放水し前記熱交換コイルを洗浄し、洗浄水を主ドレンパン及び補助ドレンパンで回収し排水するようにしたことを特徴とする洗浄容易な空気調和機。
【請求項２】
上方から下方に給気ファン、熱交換コイル、フィルター、吸気グリルの順に配置し前面が開放しうる空気調和機において、前記吸気グリルの空気調和機側の枠体の底面に排水斜面を設け、該排水斜面は奥壁から前縁にかけて一律に傾斜して前縁を最も低くした連続斜面にし、奥壁近傍の部材のある箇所は急勾配の斜面として水平部を無くし、開放された前面から洗浄水を放水して空気調和機の内部を洗浄し吸気グリルの全幅から洗浄水を排水できるようにしたことを特徴とする洗浄容易な空気調和機。
【請求項３】
上方から下方に給気ファン、熱交換コイル、フィルター、吸気グリルの順に配置し前面が開放しうる空気調和機において、前記フィルターは係止レールを介して着脱自在に係止され、該係止レールの断面は中空の長方形で上下にフィルター係止片が設けられ、該中空の長方形の末端空洞部に正面カバーを嵌合して密閉して埃が入らないようし、開放された前面から洗浄水を放水しても係止レールに洗浄水が残らないようにしたことを特徴とする洗浄容易な空気調和機。
【請求項４】
上方から下方に給気ファン、熱交換コイル、フィルター、吸気グリルの順に配置し前面が開放しうる空気調和機において、前記給気ファンを駆動する防水型駆動モータを設けるとともに、該駆動モータの架台表面は凹部を全て無くして平面とし、開放された前面から洗浄水を放水しても駆動モータに埃や洗浄水が残らないようにしたことを特徴とする洗浄容易な空気調和機。
【発明の詳細な説明】
【技術分野】
【０００１】
本発明は、上方から下方に給気ファン、熱交換コイル、フィルター、吸気グリルの順に配置し前面が扉等で開放しうる空気調和機において、開放された前面から洗浄水を放水して容易に空気調和機の内部の清掃が可能な技術分野に属する。
【背景技術】
【０００２】
従来の製薬工場や食品工場においては、クリーンルーム用の空気調和機が設置され、この空気調和機においては、水洗等の清掃がなされていなかった。
このため、空気調和機において、扉を開放して枠体の全面から放水して洗浄することが、例えば、特許文献１等として知られている。
【０００３】
しかし、従来のこの種の空気調和機は、全面が開放する扉を設けて、全面から水を放水して洗浄するが、内部の内壁や部品の取り付け部材に深い凹部が数多く存在得し、洗浄水が深い凹部に残存し、このため洗浄後の拭き取り作業が困難であった。また、部品に錆等を生じさせるなどの不都合もあった。更に、熱交換コイルは枠体内の配管には断熱材が巻き付けてあり、この断熱材の巻付け表面は凸凹が存在し、これも洗浄する際に塵や埃が残存しやすくといった不都合があった。
【特許文献１】特許第３１５９６８５号公報
【発明の開示】
【発明が解決しようとする課題】
【０００４】
本発明の解決しようとする課題は、前述の不都合に鑑てなされたもので、空気調和機において、前面の扉を開放して枠体の前方全面から放水洗浄して、簡単に洗浄可能であり、かつ、枠体内に洗浄水が残存しないようにして、枠体内を乾いた状態にして部品に錆等を生じさせないようにし、また、簡単に塵や汚れを排出できるようにした洗浄容易な空気調和機を提供するものである。
【課題を解決するための手段】
【０００５】
上記の課題を解決するために、請求項１の発明は、上方から下方に給気ファン、熱交換コイル、フィルター、吸気グリルの順に配置し前面が開放しうる空気調和機において、前記熱交換コイルの真下に間隔をおいて主ドレンパンを設けるとともに、該熱交換コイルの側部の周りに補助ドレンパンを設け、開放された前面から洗浄水を放水し前記熱交換コイルを洗浄し、洗浄水を主ドレンパン及び補助ドレンパンで回収し排水するようにしたことを特徴とする洗浄容易な空気調和機である。
【０００６】
請求項２の発明は、上方から下方に給気ファン、熱交換コイル、フィルター、吸気グリルの順に配置し前面が開放しうる空気調和機において、前記吸気グリルの空気調和機側の枠体の底面に排水斜面を設け、該排水斜面は奥壁から前縁にかけて一律に傾斜して前縁を最も低くした連続斜面にし、奥壁近傍の部材のある箇所は急勾配の斜面として水平部を無くし、開放された前面から洗浄水を放水して空気調和機の内部を洗浄し吸気グリルの全幅から除塵し洗浄水を排水できるようにしたことを特徴とする洗浄容易な空気調和機である。
【０００７】
請求項３の発明は、上方から下方に給気ファン、熱交換コイル、フィルター、吸気グリルの順に配置し前面が開放しうる空気調和機において、前記フィルターは係止レールを介して着脱自在に係止され、該係止レールの断面は中空の長方形で上下にフィルター係止片が設けられ、該中空の長方形の末端空洞部に正面カバーを嵌合して密閉して埃が入らないようし、開放された前面から洗浄水を放水しても係止レールに洗浄水が残らないようにしたことを特徴とする洗浄容易な空気調和機である。
【０００８】
請求項４の発明は、上方から下方に給気ファン、熱交換コイル、フィルター、吸気グリルの順に配置し前面が開放しうる空気調和機において、前記給気ファンを駆動するファン駆動モータには防水カバーを設けるとともに、該駆動モータの架台表面は凹部を全て無くして平面とし、開放された前面から洗浄水を放水しても駆動モータに埃や洗浄水が残らないようにしたことを特徴とする洗浄容易な空気調和機である。
【発明の効果】
【０００９】
本発明によれば、空気調和機において、前面の扉を開放して枠体の前方全面から放水洗浄して、簡単に洗浄可能であり、かつ、枠体内に洗浄水が残存しないようにして、枠体内を乾燥状態にして部品に錆等を生じさせないようにし、また、簡単に塵や汚れを排出できるという効果を有する。
【発明を実施するための最良の形態】
【００１０】
本発明は、空気調和機の前面から放水して洗浄するに際し、空気調和機の内部の内壁や部品の深い凹部を無くし、且つ、洗浄水が排出し易い構造にすることを特徴とするものである。
【実施例】
【００１１】
本件発明の好適な実施例を図を用いて説明する。
図１は、本実施例の空気調和機の全体の前方からの正面図であって、枠体１の内部の上方から下方に給気ファン２、熱交換コイル３、フィルター４、吸気グリル５の順に配置され、部屋の環気は、図１及び図３に示されるように、先ず、最下段の吸気グリル５に吸い込まれ、フィルター４で塵等を除去し、熱交換コイル３で温度調整され、給気ファン２からダクト２a等を介して部屋に供給される。
枠体１前面は、三区画に分けられ、各区画には、図２に示すように、観音開きの扉１１，１２，１３が設けられ、枠体１の前面の全体が開放される構成になっており、清掃に際しては、各扉１１，１２，１３を図２の二点鎖線のように開放して、前面から放水して洗浄作業を行う。
なお、枠体１の前面の中央には天井枠１７から底枠１８に掛けて各区画毎に、中央縦フレーム１９が掛け渡されている。
【００１２】
先ず、最上段区画には給気ファン２の回転軸21を水平方向に設け、図５(a)(b)に示すように、並列に防水型駆動モータ22を設けてモータ軸23と回転軸21を連結し、給気ファン２の回転軸21と一致するように駆動モータ架台25を設け、この駆動モータ架台25の側面の空洞にはカバー26を設けて表面の凹部を全て無くして平面とし洗浄水が残らない構成としている。
枠体１の最上段区画は、最も洗浄水が覆らない場所であることから、前述したように、駆動モータ22を設置したが、他にも駆動モータ22の制御回路26等も防水枠体27の区画を設けて収納してある。
【００１３】
最上段区画から第二段区画にかけて、前記給気ファン２の吸気口に対応して、その下の位置の水平枠１４に熱交換コイル３が配置され、水平枠１４には、図６(a)(b)に示すように、熱交換コイル３の上下には空気が通過できるように、床枠などは設けられておらず、更に、その真下の位置に間隔をもって、図７(a)(b)に示すように、熱交換コイル３の結露などの水滴を受ける主ドレンパン31が水平に設けられている。
水平枠１４の熱交換コイル３は、後枠体１５の壁面151に密接し、熱交換コイル３と壁面151とに亘ってＬ型の防塵カバー１６を設けて目張りをし、コイル３と後枠体１５の壁面151に隙間がなく洗浄水が入らない構成として、洗浄水も残存しないように配置している。
熱交換コイル３の右側面(図６(a))には、ヘッダ部32と熱媒体の配管33が配置され、この配管33は外部の熱交換器に接続されるているが、本実施例では枠体１内での配管33には断熱材を巻き付けていない。これは、断熱材の巻付け表面は凸凹が存在し、この凸凹が洗浄の際に塵や埃が残存しやすいことから、これを廃したためである。
しかしながら、配管33が裸であると冷却の際に配管33に結露が生じ、これが水滴となって落下するので、これを排水するためにヘッダ部32と熱媒体の配管33の対応した下方に主ドレンパン31とは別途に補助ドレンパン34が設けられている。
この補助ドレンパン34で回収した水は排出配管35を介して主ドレンパン31上に排水し、また、開放された前面から洗浄水を放水した場合には、洗浄水は熱交換コイル３、ヘッダ部3、配管33をを洗浄し、洗浄水は主ドレンパン31及び補助ドレンパン34で回収し排水する。
主ドレンパン31の両側面は、図７(a)(b)に示すように、空間で空気の流通路311となり、前後は枠体１の壁面に密接するように設けられ、主ドレンパン31は中央部が窪んだ四方絞りで、洗浄排水を集め排出配管36を介して外部に排出する。
【００１４】
最下段区画には、図１、図３(a)(b)(c)、図４、図８(a)(b)、図９に示すように、ィルター４、吸気グリル５、底部６が配置されている。
フィルター４は、主ドレンパン31の下に位置し、中央部を境に独立して着脱可能な一対の中性能フィルター４1a,４１bと、その下にこれも一対のプレフィルター４２a,４２bから構成され、下からの空気中の荒い塵を先ずプレフィルター４２a,４２bで捕獲し、更に細かい塵を中性能フィルター４1a,４１bで捕獲するようにしている。
これらの中性能フィルター４1a,４１bとプレフィルター４２a,４２bは、それぞれ両端が係止レール４３に係止され出し入れ可能に保持される。
この係止レール４３は、図８(b)のＡ部分の拡大図９に示すように、断面コ字の大レール部材４３１の内側に、断面Ｌ字の小レール部材４３２の上下を逆さにして組み合わせて溶接したもので、内側に突出する三段43a,43b,43cのレール部が構成してあり、上から上段43aと中段43bの間に、中性能フィルター４1a,４１bを出し入れ可能に保持し、中段43bと下段43cの間に、プレフィルター４２a,４２bを出し入れ可能に保持する。
また、最下段区画の上端の前後には、横方向に一対の横フレーム４４が掛け渡され、枠体１の両端の係止レール４３の大レール部材４３１が横フレーム４４に溶接されて固定される。中央部の係止レール４３の取り付けは、横フレーム４４と、前後方向に掛け渡された一対の断面コ字状の天部カバー４５と底部カバー４６との側面に溶接固定される。
【００１５】
ところで、中央部の係止レール４３の取り付け部の前面には、横フレーム４４の下部と、断面コ字状の天部カバー４５と底部カバー４６の内側と、大レール部材４３１の側面からなる長方形の末端空洞部Ｂが構成されるが、この空洞部Ｂに塵が入ると除去が困難となる。
そこで、長方形の末端空洞部Ｂを塞ぐように正面カバー４７で嵌合し、開放された前面から洗浄水を放水しても係止レールに洗浄水が残らないように構成したもので、この正面カバー４７は、下部471が後方に折れ曲がった全体としてＬ字状で、前面部472は左右に分割されたており、左右に分割して中央に縦溝部473を設けたのは、中央縦フレーム１９の後面の突起部191を縦溝部473が許容するためのもので、突起部191がなく、密封構造を構成するのであれば、必ずしも縦溝部472は必要はなく、分割されていない一枚の板状部材でもよい。
したがって、吸気グリル５を設けた扉13を開放して、開放された前面から洗浄水を放水しても係止レール４３に洗浄水が残ることがない。
【００１６】
次に、底部６はフィルター４よりも下で枠体の最も下に位置し、奥壁61から前縁62にかけて一律に傾斜して前縁を最も低くした連続した排水斜面63を形成しており、奥壁61近傍の部材のある箇所は好ましくは３０〜４５度以上の急勾配の斜面64の二段として水平部を無くし、奥壁61と急勾配斜面64の末端65とはシール部材66で密閉し、前縁62と底枠18の接合部分もシール部621で密封し、開放された前面から洗浄水を放水して、空気調和機の内部を洗浄した洗浄排水が吸気グリルの全幅から床に排水する。
なお、本発明の特徴を損なうものでなければ、前述した実施例に限定されないことは勿論である。
【産業上の利用可能性】
【００１７】
前述したように、本発明の特徴を損なうものでなければ、空気調和機に限らず、熱交換コイルを用いる冷凍庫等の用途にも適用できる。
【図面の簡単な説明】
【００１８】
【図１】図１は、本発明の実施例の空気調和装置の前方から正面図である。
【図２】図１の空気調和機の上面図である。
【図３】図１の空気調和機の右側面図で、図３(a)はその全体の右側面図、図３(b)は底部の奥の拡大部分図、図３(c)は底部の前縁の拡大部分図である。
【図４】図１の空気調和機の左側面図である。
【図５】図５(a)は、ファン駆動モータの取付け架台図の側面図、図５(a)はその斜視図である。
【図６】図６(a)は熱交換コイルと補助ドレンパンとを配位した上方からの平面図、図６(ｂ)はその側面図である。
【図７】図７(a)は主ドレンパンとを配位した上方からの平面図、図７(ｂ)はその側面図である。
【図８】図８(a)はフィルタを配位した上方からの平面図、図８(ｂ)はその側面図、
【図９】図８(ｂ)のＡ部の係止レールの拡大斜視図である。
【符号の説明】
【００１９】
１…枠体、11,12,13…扉、14…水平枠、15…後枠体、151…壁面151、
16…防塵カバー、17…天井枠、18…底枠、19…中央縦フレーム、
２…給気ファン、２a…ダクト、21…回転軸、22…防塵型駆動モータ、
23…モータ軸、25…駆動モータ架台、26…カバー、
27…制御回路、28…防水枠体、
３…熱交換コイル、31…主ドレンパン、32…ヘッダ部、33…配管、
34…補助ドレンパン、35…配管、36…排出配管
４…フィルター、41a,41b…中性能フィルター、42a,42b…プレフィルター、
43…係止レール、43a…上段、43b…中段、43c…下段、
431…断面コ字状大レール部材、432…断面Ｌ字状小レール部材、
44…横フレーム、45…天部カバー、46…底部カバー、
47…正面カバー、471…下部、472…前面部、473…縦溝部
５…吸気グリル、
６…底部、61…奥壁、62…前縁、621…シール部、63…排水斜面、
64…急勾配斜面、65…末端、66…シール部材、
【図１】
2005172360.tif 000003
【図２】
2005172360.tif 000004
【図３】
2005172360.tif 000005
【図４】
2005172360.tif 000006
【図５】
2005172360.tif 000007
【図６】
2005172360.tif 000008
【図７】
2005172360.tif 000009
【図８】
2005172360.tif 000010
【図９】
2005172360.tif 000011